(57)【要約】【課題】広告の運用を支援できる広告運用支援装置、広告運用支援方法および広告運用支援プログラムを提供すること。【解決手段】本発明の広告運用支援装置は、受け付けた第１の設定情報を、広告を配信するプラットフォームの特性に基づいて第２の設定情報に変換する変換部を備える。【選択図】図１
2020009188.tif 000002
【特許請求の範囲】
【請求項１】
受け付けた第１の設定情報を、広告を配信するプラットフォームの特性に基づいて第２の設定情報に変換する変換部を備えることを特徴とする広告運用支援装置。
【請求項２】
前記第１の設定情報は、広告配信対象を規定する情報を含み、
前記変換部は、
前記広告配信対象を規定する情報に基づいて、前記第１の設定情報を前記第２の設定情報に変換することを特徴とする請求項１に記載の広告運用支援装置。
【請求項３】
前記広告配信対象を規定する情報には、
過去に特定のＷＥＢページを閲覧した広告配信対象に対して広告を配信するか、過去に特定のＷＥＢページを閲覧したことのない広告配信対象を含む広告配信対象に対して広告を配信するかの情報が含まれていることを特徴とする請求項２に記載の広告運用支援装置。
【請求項４】
前記広告配信対象を規定する情報には、
広告の配信対象者に関する第１の規定情報、前記広告の内容に関する第２の規定情報、及び前記広告配信対象の属性に関する第３の規定情報の少なくとも１以上を含んでいることを特徴とする請求項２又は請求項３に記載の広告運用支援装置。
【請求項５】
前記変換部は、
前記第１の設定情報の設定項目と、前記プラットフォームの設定項目とが関連付けて格納されたデータベースを参照して、前記第１の設定情報を前記第２の設定情報に変換することを特徴とする請求項１乃至請求項４のいずれかに記載の広告運用支援装置。
【請求項６】
前記変換部は、
前記第１の設定情報に含まれるキーワードの類似度及び意味の関連度の少なくとも一方に基づいて、前記第１の設定情報を前記第２の設定情報に変換することを特徴とする請求項１乃至請求項５のいずれかに記載の広告運用支援装置。
【請求項７】
前記変換部は、
前記類似度及び前記関連度の少なくとも一方が所定の閾値未満である場合、前記類似度及び前記関連度の少なくとも一方が前記所定の閾値以上となるまで、異なるキーワードの受付を促すことを特徴とする請求項６に記載の広告運用支援装置。
【請求項８】
変換部が、受け付けた第１の設定情報を、広告を配信するプラットフォームの特性に基づいて第２の設定情報に変換することを特徴とする広告運用支援方法。
【請求項９】
広告運用支援プログラムであって、
コンピュータを、
受け付けた第１の設定情報を、広告を配信するプラットフォームの特性に基づいて第２の設定情報に変換する変換部
として機能させることを特徴とする広告運用支援プログラム。
【発明の詳細な説明】
【技術分野】
【０００１】
本発明は、広告運用支援装置、広告運用支援方法、広告運用支援プログラムに関する。
【背景技術】
【０００２】
近年インターネット上には、多数の仮想店舗が開設されており、一般消費者にとって当該仮想店舗において商品・サービスを購入することは珍しいことではなくなってきている。一方で、インターネット上に多数の仮想店舗が開設されている状況下、店舗間の競争は激化しており、各店舗は業績を維持・向上させるために取扱商品・サービスの販売促進活動が重要なものとなってきている。
【０００３】
そのようなインターネット上での販売促進活動に関するものとして、ディスプレイ広告がある。ディスプレイ広告とは、ＷＥＢページやアプリ上の広告枠に表示される広告であり、画像などをクリックすることでユーザを広告主が設定したＷＥＢページへと誘導させることができる。ディスプレイ広告は、バナー画像を表示させることが多いので、バナー広告と呼ばれることもある。
【０００４】
上記広告においてより効果を上げるため、従来からターゲティングが行われている（例えば、特許文献１参照）。これは、広告の対象となる顧客の個人属性、ウェブサイトでの行動履歴、あるいは商品の購買履歴などの情報をもとに、顧客の興味関心を推測し、ターゲットを絞って特定の商品に関する広告を配信する手法である。この手法を用いて広告配信を行うことにより、広告出稿の費用対効果を高めることが可能とされる。
【先行技術文献】
【特許文献】
【０００５】
【特許文献１】特開２０１６−１３９４３５号公報
【発明の概要】
【発明が解決しようとする課題】
【０００６】
しかしながら、従来の手法では、選定したいターゲティングをＹａｈｏｏ（登録商標）やＧｏｏｇｌｅ（登録商標）のようなプラットフォーム（プラットフォーマーともいう）毎に変換し、選択する必要がある。そのため適切な選定をするために、プラットフォームに対する専門的な知識、ノウハウが必要になるという問題がある。
【０００７】
また選定したターゲティングの設定も、プラットフォーム毎に設定の仕方が異なるので、設定作業オペレーションに関する観点でも専門知識及びそれを行う工数がプラットフォームの数だけ必要となるため広告運用が非常に非効果的となっている。
【０００８】
本発明は、上記課題を鑑みてなされたものであり、広告運用を支援できる広告運用支援装置、広告運用支援方法および広告運用支援プログラムを提供することを目的とする。
【課題を解決するための手段】
【０００９】
上記の課題を解決すべく、本発明の広告運用支援装置は、受け付けた第１の設定情報を、広告を配信するプラットフォームの特性に基づいて第２の設定情報に変換する変換部を備えることを特徴とする。
【００１０】
上記構成によれば、例えば、ユーザ等が入力や選択して受け付けられるキーワード等の第１の設定情報を、広告を配信するプラットフォームごとに変換して第２の設定情報とする。このため、ユーザは、プラットフォーム毎にキーワードやカテゴリ等の設定を変更する必要がなく利便性に優れる。また、設定作業オペレーションに関する観点でも専門知識及びそれを行う工数がプラットフォームの数だけ必要となることがなく、広告運用が非常に効果的なものとなる。
【発明の効果】
【００１１】
以上説明したように、本発明によれば、広告運用を支援できる広告運用支援装置、広告運用支援方法および広告運用支援プログラムを提供することができる。
【図面の簡単な説明】
【００１２】
【図１】実施形態に係る広告運用支援システムの概略構成図である。
【図２】実施形態に係るユーザ端末の構成図である。
【図３】実施形態に係るサーバ（広告運用支援装置）の構成図である。
【図４】実施形態に係るサーバ（広告運用支援装置）の記憶装置に格納されているデータベースの一例である。
【図５】実施形態に係るサーバ（広告運用支援装置）のデータベースに格納されている情報の一例である。
【図６】実施形態に係るユーザ端末に表示される画面の一例を示す図である。
【図７】実施形態に係るユーザ端末に表示される画面の一例を示す図である。
【図８】実施形態に係るユーザ端末に表示される画面の一例を示す図である。
【図９】実施形態に係るユーザ端末に表示される画面の一例を示す図である。
【図１０】実施形態に係るユーザ端末に表示される画面の一例を示す図である。
【図１１】実施形態に係るユーザ端末に表示される画面の一例を示す図である。
【図１２】実施形態に係るユーザ端末に表示される画面の一例を示す図である。
【図１３】実施形態に係るユーザ端末に表示される画面の一例を示す図である。
【図１４】実施形態に係るユーザ端末に表示される画面の一例を示す図である。
【図１５】実施形態に係るユーザ端末に表示される画面の一例を示す図である。
【図１６】実施形態に係る広告運用支援装置の動作の一例を示すフローチャートである。
【図１７】実施形態に係る広告運用支援装置の動作の一例を示すフローチャートである。
【図１８】実施形態に係る広告運用支援装置の動作の一例を示すフローチャートである。
【図１９】実施形態に係る広告運用支援装置の動作の一例を示すフローチャートである。
【発明を実施するための形態】
【００１３】
以下、図面を参照して本発明の実施形態を説明する。
【００１４】
（実施形態）
初めに、図１を参照して広告運用支援システム１の構成について説明する。広告運用支援システム１は、複数のユーザ端末２と、これら複数のユーザ端末２とネットワーク４を介して接続されたサーバ３とを備える。
【００１５】
図２は、ユーザ端末２の構成図である。ユーザ端末２は、ＰＣ（Personal Computer）や携帯端末（例えば、スマートフォンやタブレット端末）等である。ユーザ端末２は、通信部２０１と、記憶装置２０２と、入力装置２０３と、表示装置２０４と、制御部２０５とを備える。
【００１６】
通信部２０１は、サーバ３から送信される情報、例えば、表示装置２０４へ表示させるための情報等を、ネットワーク４を介して受信する。また、通信部２０１は、サーバ３へ入力装置２０３で受け付けた入力内容等の情報を、ネットワーク４を介してサーバ３へ送信する。
【００１７】
記憶装置２０２は、例えば、ＨＤＤ（Hard Disk Drive）や半導体記憶装置（ＳＳＤ(Solid State Drive)等）である。また、記憶装置２０２は、各ユーザ端末２に固有の識別子が格納されている。
【００１８】
入力装置２０３は、例えば、キーボード、マウス、タッチパネル等である。ユーザＵは、入力装置２０３を操作して、ユーザ登録、ログイン、広告配信の運用に必要な設定（以下、第１の設定情報）を入力することができる。
【００１９】
第１の設定情報には、広告配信の広告配信対象（広告を見てほしいユーザが閲覧しているであろうＷＥＢページ等のこと。以下、ターゲットともいう）を規定する情報、より具体的には、過去に特定のＷＥＢページ（例えば、海外・国内旅行や賃貸住宅情報等が掲載されたＷＥＢページ等）を閲覧したターゲットに対して広告を配信するか、過去に特定のＷＥＢページを閲覧したことのないターゲットを含むターゲットに対して広告を配信するかの情報、広告の配信対象者に関する第１の規定情報、広告の内容に関する第２の規定情報、及びターゲットの属性に関する第３の規定情報が含まれている。なお、各情報の詳細については後述する。
【００２０】
表示装置２０４は、サーバ３から送信される情報に基づいて画面を表示する。この画面には、例えば、ユーザ登録画面、ログイン画面、第１の設定情報等を設定するための画面等が少なくとも含まれる。
【００２１】
制御部２０５は、ユーザ端末２を制御する。
【００２２】
図３は、サーバ３の構成図である。サーバ３は、通信部３０１と、記憶装置３０２と、変換部３０３と、画面情報生成部３０４と、リコメンド提示部３０５と、比較部３０６と、制御部３０７とを少なくとも備える。サーバ３は、例えば、ＣＰＵ、ＲＡＭ、ＲＯＭ等を備え、ＣＰＵが広告運用支援プログラムを実行することにより、図３に示す機能が実現される。
【００２３】
通信部３０１は、ネットワーク４を介してユーザ端末２から送信される情報を受信する。この情報には、ユーザＵが入力装置２０３を使用して入力した情報、例えば、ユーザ登録をする際に入力される属性情報、ログイン時に入力される情報、広告配信の運用（以下、広告運用ともいう）に必要な設定を行う際に入力される情報（第１の設定情報）等が含まれる。通信部３０１は、ネットワーク４を介してユーザ端末２へ画面生成用情報等を送信する。
【００２４】
記憶装置３０２は、例えば、ＨＤＤ（Hard Disk Drive）や半導体記憶装置（ＳＳＤ(Solid State Drive)）である。記憶装置３０２には、図４に示すように、ユーザＤＢ１、ＰＦ１用ＤＢ２、ＰＦ２用ＤＢ３、リコメンド用ＤＢ４、辞書ＤＢ５などのデータベースが格納されている。
【００２５】
ユーザＤＢ１には、各ユーザＵが設定した広告配信の設定項目、例えば、商材（ＵＲＬ）、デバイス、ブランド名、エリア、広告文、プラットフォーム、第1の設定情報等がユーザＩＤに関連付けて格納されている。ここで、デバイスは、広告を出稿する機器の種別であり、例えば、ＰＣ、タブレット、スマートフォン等である。ブランドは、例えば、店舗名、会社名、商品名等である。エリアは、広告を出稿する範囲であり、「都道府県」や店舗住所（郵便番号、都道府県、番地等）からの距離等で指定することができる。キーワードは、検索に使用される単語等である。プラットフォームは、広告を出稿するプラットフォームであり、例えば、グーグル（登録商標）やヤフー（登録商標）である。
【００２６】
また、ユーザＤＢ１には、広告を配信するターゲットを規定するための以下の情報が少なくともユーザＩＤに関連付けて格納されている。
（１）過去に特定のＷＥＢページを閲覧したターゲットに対して広告を配信する設定情報。
（２）過去に特定のＷＥＢページを閲覧したことのないターゲットを含むターゲットに対して広告を配信する設定情報。
（３）広告の配信対象に関する第１の規定情報（以下、オーディエンスともいう）。
（４）広告の内容に関する第２の規定情報（以下、コンテンツともいう）。
（５）ターゲットの属性に関する第３の規定情報（以下、デモグラフィックスともいう）。
【００２７】
オーディエンスは、興味、関心にフォーカスした設定項目である。換言するとどのようなことに興味、関心のある人物をターゲット（広告配信対象）とするのかを設定する項目である。
コンテンツは、ＷＥＢページの内容にフォーカスした設定項目である。換言すると、どのようなＷＥＢページに興味、関心のある人物をターゲット（広告配信対象）とするのかを設定する項目である。
デモグラフィックスは、ターゲットの属性にフォーカスした設定項目である。換言するとどのような属性（例えば、年齢、性別、年収、住所等）の人物をターゲット（広告配信対象）とするのかを設定する項目である。
上記のように広告配信のターゲットを設定することにより、広告配信のターゲットを多面的にとらえることができ、従来の単一の設定項目に比べ、ターゲットである広告を見てほしいユーザが閲覧しているであろうＷＥＢページ等に、より効果的に広告を配信することができる。
【００２８】
また、ＰＦ１用ＤＢ２には、第１のプラットフォーム（例えば、グーグル（登録商標））に広告配信するための変換用情報が格納されている。
また、ＰＦ２用ＤＢ３には、第２のプラットフォーム（例えば、ヤフー（登録商標））に広告配信するための変換用情報が格納されている。
ＰＦ１用ＤＢ２及びＰＦ２用ＤＢ３には、夫々、第１の設定情報の設定項目と、プラットフォームの設定項目とが関連付けて格納されている。変換部３０３は、ＰＦ１用ＤＢ２及びＰＦ２用ＤＢ３を参照して、ユーザＵにより設定された第１の設定情報を各プラットフォームに適合する第２の設定情報に変換する。
なお、本実施形態では、第１の設定情報を第２の設定情報に変換するためのＤＢは２つであるが、該ＤＢは２つに限られず、プラットフォームの数に合わせて増減する。
【００２９】
また、リコメンド用ＤＢ４には、ユーザＵへのリコメンド用のキーワードが格納されている。なお、本実施形態では、ユーザＵが入力した情報（例えば、商材）に応じて適切と思われるキーワードをリコメンド用ＤＢ４から個別案件ごとに抽出する。すなわち、記憶装置３０２のリコメンド用ＤＢ４には、広告配信の設定の候補となるキーワードを商材分野ごとに予め格納して、ユーザＵが入力した広告対象（商材）であるＵＲＬなどの情報に応じて適切と思われる商材分野のキーワードが抽出されるように構成されている。
【００３０】
なお、キーワードの候補の提示は、ユーザＵが入力した広告対象（商材）であるＵＲＬなどの情報に応じて適切と思われるキーワードをアルゴリズムで抽出する形態としてもよい。またキーワードをアルゴリズムで抽出する形態と、上述のように広告配信の設定の候補となるキーワードを商材分野ごとに予め格納して、ユーザＵが入力した広告対象（商材）であるＵＲＬなどの情報に応じて適切と思われる商材分野のキーワードを抽出する形態とを組み合わせてもよい。ここで、商材分野の分類には、例えば、日本標準産業分類などを用いて規定してもよい。また、キーワードはユーザＵが新たに追加するごとにリコメンド用ＤＢ４に新たに格納されるようにしてもよいし、商材（ＵＲＬ）のページからも自動でキーワードが取得され、リコメンド用ＤＢ４に新たに格納されるようにしてもよい。
【００３１】
辞書ＤＢ５には、比較部３０６がキーワードの文字配列の類似度及び意味の関連度の少なくとも一方を算出するために参照される辞書が格納されている。すなわち、辞書ＤＢ５には、比較部３０６が広告文やキーワード、センテンスを形態素解析するための辞書や、キーワードの文字配列の類似度及び意味の関連度を算出するための辞書が格納されている。
【００３２】
図５は、記憶装置３０２のユーザＤＢ１に格納されている情報の一例を示す図である。
ユーザＤＢ１には、図５（ａ）に示すように、ユーザＵの属性情報、例えば、ユーザ名、ログインＩＤ、連絡先等の情報がユーザＵごとにユーザＩＤに関連付けて格納されている。
【００３３】
また、ユーザＤＢ１には、図５（ｂ）に示すように、各ユーザＵが設定した広告配信の設定項目、例えば、デバイス、ブランド名、エリア、広告文、キーワード、プラットフォームがユーザＩＤに関連付けて格納されている。ここで、デバイスは、広告を出稿する機器の種別であり、例えば、ＰＣ、タブレット、スマートフォン等である。ブランドは、例えば、店舗名、会社名、商品名等である。
【００３４】
エリアは、広告を出稿する範囲である。キーワードは、検索に使用される単語等である。プラットフォームは、広告を出稿するプラットフォームであり、例えば、グーグル（登録商標）やヤフー（登録商標）である。なお、図５（ｂ）には図示していないが、広告運用に必要なその他の設定項目、例えば、商材（ＵＲＬ）、広告期間、当該広告期間中の広告費の総予算（月額予算等）、１クリック当たりに広告業者に払い込む広告費（クリック単価））等もユーザＩＤに関連付けて登録されている。
【００３５】
変換部３０３は、ユーザＵが入力した第１の設定情報を、広告を配信するプラットフォームの特性に基づいて第２の設定情報に変換する。より具体的には、変換部３０３は、第１の設定情報に含まれる広告配信のターゲットを規定する情報に基づいて、第１の設定情報を第２の設定情報に変換する。なお、変換部３０３は、図１３を参照して説明する詳細設定で入力された設定情報は、そのまま第２の設定情報として取り扱う。
【００３６】
上述したように、ターゲットを規定する情報には、過去に特定のＷＥＢページを閲覧したターゲットに対して広告を配信するか、又は過去に特定のＷＥＢページを閲覧したことのないターゲットを含むより広いターゲットに対して広告を配信するかの情報が含まれている。
また、ターゲットを規定する情報には、第１の規定情報（オーディエンス）、第２の規定情報（コンテンツ）、及び第３の規定情報（デモグラフィックス）の少なくとも１以上を含んでいる。変換部３０３は、第１の設定情報に含まれるこれら広告配信のターゲットを規定する情報に基づいて、第１の設定情報を第２の設定情報に変換する。
【００３７】
また、変換部３０３は、第１の設定情報を第２の設定情報に変換する際に、第１の設定情報の設定項目と、各プラットフォームの設定項目とが関連付けて格納されたデータベース（ＰＦ１用ＤＢ２及びＰＦ２用ＤＢ３）を参照する。
【００３８】
また、変換部３０３は、第１の設定情報に含まれるキーワードの類似度及び意味の関連度の少なくとも一方に基づいて、第１の設定情報を第２の設定情報に変換するとともに、類似度及び関連度の少なくとも一方が所定の閾値未満である場合、類似度及び関連度の少なくとも一方が所定の閾値以上となるまで、異なるキーワードの受付を促す。
【００３９】
画面情報生成部３０４は、ユーザ端末２の表示装置２０４に表示するための画面情報を生成する。画面情報生成部３０４が生成する画面情報によりユーザ端末２の表示装置２０４に表示される画面については図面を参照して後述する。
【００４０】
リコメンド提示部３０５は、リコメンド用ＤＢ４を参照して、登録商材やユーザにより入力されたキーワードに基づいて第１の設定情報の設定にお勧めのキーワードを提示する。
【００４１】
比較部３０６は、キーワードの文字配列の類似度及び意味の関連度の少なくとも一方を算出し、この類似度及び関連度の少なくとも一方を所定の閾値と比較する。具体的には、比較部３０６は、辞書ＤＢ５を参照し、必要に応じて広告やキーワード、センテンス（キーワード等）の形態素解析を行い、第１の設定情報に含まれるキーワード等の第２の設定情報に含まれる設定項目（設定に使用されているワード等）に対する文字配列の類似度及び意味の関連度を算出する。比較部３０６は、算出した値の少なくとも一方を所定の閾値と比較し、比較結果を変換部３０３へ通知する。なお、形態素解析とは、文法的な情報の注記の無い自然言語のテキストデータから、対象言語の文法や、辞書と呼ばれる単語の品詞等の情報にもとづき、形態素（言語で意味を持つ最小単位）の列に分割し、それぞれの形態素の品詞等を判別する作業のことをいう。
【００４２】
制御部３０７は、サーバ３を制御する。
【００４３】
次に、本実施形態でユーザ端末２の表示装置２０４に表示される画面について図６〜図１５を参照して説明する。図６〜図１５は、実施形態に係るユーザ端末に表示される画面の一例を示す図である。なお、図６〜図１５に示す画面は、サーバ３の画面情報生成部３０４により画面情報が生成され、該画面情報がユーザ端末２へ送信されることで表示される。
【００４４】
図６〜図１０は、ユーザ端末２の表示装置２０４に表示されるプロモーション設定用の画面である。図６に示す基本情報の入力画面では、ユーザＵは、ユーザ端末２の入力装置２０３を操作して、基本情報を入力する。この図６に示す基本情報の入力画面では、ユーザＵは、入力装置２０３を操作してプロモーション名１００１（宣伝するサービスの総称／サイト名／店舗名）および月額予算１００２をそれぞれ枠内に入力するとともに、成果指標（クリック１００３Ａ、コンバージョン１００３Ｂ、収益１００３Ｃのいずれかまたは複数）を選択する。
【００４５】
成果指標では、クリック１００３Ａを選択すると広告のＷＥＢページへのアクセスを重視した設定となる。また、コンバージョン１００３Ｂを選択すると、資料請求／購入など広告のＷＥＢページ上での成果を重視した設定となる。また、収益（コンバージョン値）１００３Ｃを選択すると、売上金額などのコンバージョンごとの価値を重視する設定となる。なお、クリック、コンバージョン、収益以外の指標を選択できるように構成してもよい。
【００４６】
図７に示す連携設定の入力画面では、ユーザＵは、ユーザ端末２の入力装置２０３を操作して、連携設定に必要な情報を入力する。この図７に示す連携設定の入力画面では、ユーザＵは、入力装置２０３を操作してプラットフォーム種別１０１１（プラットフォームＡ１０１１Ａ（例えば、Google（登録商標））、プラットフォームＢ１０１１Ｂ（例えば、Yahoo（登録商標））、プラットフォームＣ１０１１Ｃ（例えば、YDN（Yahoo Display AD Network））のいずれかまたは複数）を選択するとともに、アカウントＩＤ１０１２、アカウントの識別名１０１３を入力する。なお、プラットフォーム種別の選択では、上述するプラットフォーム以外のプラットフォームを選択できるように構成してもよい。なお、図７において「プラットフォームＡ１０１１Ａ」のみ黒背景に白抜き文字となっているのは、図７において「プラットフォームＡ１０１１Ａ」が選択された状態であることを示している（「プラットフォームＡ１０１１Ｂ」、「プラットフォームＡ１０１１Ｃ」は非選択状態である）。
【００４７】
図８に示す商材登録の入力画面では、ユーザＵは、ユーザ端末２の入力装置２０３を操作して、利用機能についての設定を選択するとともに、広告を使ってユーザＵを誘導したい注力商材のＷＥＢページのＵＲＬを入力して、広告をクリックした際に表示される、いわゆるランディングページを設定する。ここで、利用機能についての設定において、ユーザＵは、「広告のセットアップを含む全機能を利用」１０２１または「自動入札・レポートのみで利用」１０２２のいずれかを選択することができる。また、ユーザＵがユーザ端末２の入力装置２０３を操作して「更に注力商材ページＵＲＬを追加」のアイコン１０２３をクリックした場合、さらに広告したい商材（ＵＲＬ）を追加することができる。
【００４８】
図９に示す商材登録の入力画面では、ユーザＵは、ユーザ端末２の入力装置２０３を操作して、図８に示す画面で入力したＵＲＬを管理するための情報を入力する。具体的には、ユーザ端末２の入力装置２０３を操作して、ページＵＲＬ１０３１、商材の識別名１０３２（例えば、英会話）、および商材に関する代表的なキーワード１０３３（例えば、英会話、英語教室、英会話スクール等）を入力する。また、ユーザＵがユーザ端末２の入力装置２０３を操作して「新しく商材を追加」のアイコン１０３４をクリックした場合、さらに追加したい商材（ＵＲＬ）の設定を行うことができる。
【００４９】
図１０に示す登録確認画面では、ユーザＵが図６〜図９に示す画面で入力した設定を確認するための情報が表示される。具体的には、プロモーション基本情報１０４１の欄に「プロモーション名」、「成果指標」、「月額予算」、連携アカウント１０４２の欄に「アカウント名」（アカウントの識別名）、「プラットフォーム」（プラットフォームアカウント種別）、「アカウントＩＤ」、利用機能選択１０４３の欄に「利用機能」、登録商材１０４４の欄に「商材識別名」、「ページＵＲＬ」、「代表的なキーワード」等の設定内容が表示される。なお、ユーザＵが、ユーザ端末２の入力装置２０３を操作して、図１０に示す「登録する」のアイコン１０４５をクリックすると、図１０に示す登録確認画面に表示されている内容でプロモーション基本情報が設定される。
【００５０】
また、ユーザＵが図１０に示す登録確認画面の「プロモーション基本情報」の欄１０４１に配置された「編集」のアイコン１０４１Ａをクリックすると、図６に示す画面に遷移して設定内容を編集することができる。また、ユーザＵが図１０に示す登録確認画面の「連携アカウント」の欄１０４２に配置された「編集」のアイコン１０４２Ａをクリックすると、図７に示す画面に遷移して設定内容を編集することができる。また、ユーザＵが図１０に示す登録確認画面の「利用機能選択」の欄１０４３に配置された「編集」のアイコン１０４３Ａをクリックすると、図８に示す画面に遷移して設定内容を編集することができる。また、ユーザＵが図１０に示す登録確認画面の「登録商材」の欄１０４４に配置された「編集」のアイコン１０４４Ａをクリックすると、図９に示す画面に遷移して設定内容を編集することができる。
【００５１】
なお、ユーザＵが、図６〜図１０の左上に配置された「作成を中断する」のアイコン１０００をクリックすると、図６〜図１０を参照して説明したプロモーション登録の動作がキャンセルされる。
【００５２】
図１１〜図１５は、ユーザ端末２の表示装置２０４に表示されるターゲット設定用の画面である。図１１に示すデバイスのターゲティングの選択画面では、ユーザＵは、ユーザ端末２の入力装置２０３を操作して、ターゲティングの方法（「ブロードターゲティング配信」又は「リターゲティング配信」）を選択する。ユーザＵが、ユーザ端末２の入力装置２０３を操作して、「ブロードターゲティング配信」１０５１を選択した場合、過去に特定のＷＥＢページを閲覧したことがないターゲットを含む興味関心やサイトコンテンツ、ターゲット属性等を軸に関連の高そうなターゲットに広告を配信する設定となる。
また、ユーザＵが、ユーザ端末２の入力装置２０３を操作して、「リターゲティング配信」１０５２を選択した場合、過去に特定のＷＥＢページを閲覧したターゲット（一度特定のＷＥＢページに訪れた広告配信対象）、換言すると、上記特定のＷＥＢページやＷＥＢサイトの内容（コンテツ）に関心が高いターゲットに広告を配信する設定となる。
ユーザＵが、ユーザ端末２の入力装置２０３を操作して、「設定する」１０５３を選択した場合、ターゲティングの選択設定が完了する。
【００５３】
図１２は、図１１のターゲティングの選択画面において、「ブロードターゲティング配信」１０５１を選択した場合に表示される設定画面である。図１２に示すターゲット設定画面では、ユーザＵは、ユーザ端末２の入力装置２０３を操作して、提示されたキーワード１０６４を選択することで第１の設定情報を設定する。具体的には、ユーザＵは、ユーザ端末２の入力装置２０３を操作して、複数の項目（図１２に示す例では３つの項目）からなるキーワード群からキーワード１０６４を選択する。
【００５４】
より具体的には、図１２に示すように、項目（オーディエンス１０６１、コンテンツ１０６２、デモグラフィックス１０６３）ごとにキーワード１０６４が表示（提示）される。また、各項目内のキーワード１０６４は、キーワードの属性に応じてさらに分類（グルーピング）されている。ユーザＵは、ユーザ端末２の入力装置２０３を操作して、項目ごとに１以上のキーワード１０６４を選択することで第１の設定情報を設定する。なお、キーワード１０６４は、どれか１以上の項目（オーディエンス１０６１、コンテンツ１０６２、デモグラフィックス１０６３のいずれか１以上）が設定されていればよい。これらキーワード１０６４は、リコメンド提示部３０５により最適と思われるものが提示される。なお、図１２では、コンテンツの項目にキーワード１０６４が提示されていない状態となっているが、「設定する」１０６５を選択することでコンテンツの項目にもキーワード１０６４が提示されて選択できる状態となる。
【００５５】
なお、図１２に示すキーワードは、広告を表示させるデバイスであるユーザ端末２の種別に応じて、提示の方法が変化してもよい。例えば、ユーザ端末２の種別がＰＣである場合、画面の左側から右側に向かってオーディエンス１０６１、コンテンツ１０６２、デモグラフィックス１０６３の順にキーワードが表示（提示）される。また、ユーザ端末２の種別がスマートフォンまたはタブレットの場合、画面の上側から下側に向かってオーディエンス１０６１、コンテンツ１０６２、デモグラフィックス１０６３の順にキーワードが表示（提示）される。
【００５６】
なお、ユーザ端末２の種別がスマートフォンまたはタブレットの場合、ユーザ端末２の向きに応じてキーワードの提示の方法が変化する構成としてもよい。例えば、スマートフォンまたはタブレットが縦向きの場合、画面の上側から下側に向かってオーディエンス１０６１、コンテンツ１０６２、デモグラフィックス１０６３の順にキーワードが表示（提示）される構成とし、スマートフォンまたはタブレットが横向きの場合、画面の左側から右側に向かってオーディエンス１０６１、コンテンツ１０６２、デモグラフィックス１０６３の順にキーワードが表示（提示）される構成としてもよい。なお、スマートフォンまたはタブレットの向きは、ユーザ端末に搭載された加速度センサ等により検知することが可能である。
【００５７】
また、本実施形態では、図１２に示すキーワードは、キーワードの属性、例えば、お勧め（レコメンド）、通常の提案、提案したが選択されなかったもの、ユーザにより入力されたもの等、に応じて異なる態様（例えば、表示の大きさ、表示の色、表示の形状、文章の文字数、文字のフォント等）で表示（提示）される。
【００５８】
また、図１２に示すキーワードは、キーワードに付与されたタグに基づき、広告対象（商材）に応じて表示（提示）される。より具体的には、キーワードは、リコメンド提示部３０５により広告対象（商材）に応じて最適な（商材の特徴を表す）キーワードが表示（提示）される。また、図１２に示すキーワードは、広告対象（商材）への効果に対する優先度、に応じて異なる態様（例えば、表示の大きさ、表示の色、表示の形状、文章の文字数、文字のフォント等）で表示（提示）される。
【００５９】
なお、図１２に広告対象（商材）への効果を確認するためのキーワードの入力スペースを設けるようにしてもよい。このように構成した場合、ユーザＵがキーワードを選択する際の参考情報もしくはナビゲーションとして機能する。この結果、ユーザＵが広告配信の運用経験に乏しくても、提示されるキーワードの優先度（広告配信効果の高いキーワードが優先度が高い）を理解して適切に選択することができるので、効率よくキーワードを選択することができる。
【００６０】
また、ユーザＵは、キーワードを選択するだけでなく、追加することもできる。具体的には、ユーザＵが、ユーザ端末２の入力装置２０３を操作して、図１２の「＋」のアイコン１０６１Ａを選択すると、新しいキーワードを入力するためのボックスが表示される。ユーザＵは、ユーザ端末２の入力装置２０３を操作して、表示されたボックス内に新しいキーワードを入力すると、入力されたキーワードが追加される。なお、追加されたキーワードに関しても、キーワードの属性（ユーザＵによる追加）および効果に応じて異なる態様（例えば、表示の大きさ、表示の色、表示の形状、文章の文字数、文字のフォント等）で表示（提示）される。
【００６１】
図１３に示すターゲットの詳細設定画面は、ユーザＵは、広告のターゲットの詳細な設定を、広告を配信するプラットフォームの項目と同じように行うことができる設定画面である。この図１３に示す画面は、プラットフォーマー（例えば、グーグル（登録商標）やヤフー（登録商標）などプラットフォーム）が用意している項目と同じように設定が可能な画面であり、ユーザＵは、図１２に示す設定画面と図１３に示す設定画面とを選択して第１の設定情報を入力することが可能となっている。このため、ユーザＵは、広告の配信設定に慣れていない場合は図１２の画面で設定を行い、広告の配信設定に慣れている場合は図１３の画面で設定を行うなど、利便性が向上する。なお、このプラットフォーマー（プラットフォーム）が用意しているカテゴリ項目は、ＰＦ１用ＤＢ２及びＰＦ２用ＤＢ３に格納されている各プラットフォームの設定項目を読み出して提示される。また、図１３の詳細設定で入力された設定情報は、そのまま第２の設定情報として取り扱われる。
【００６２】
図１３に示す例は、商材がスポーツに関するもの（例えば、スポーツウェア）である場合の設定画面である。図１３に示す設定画面では、画面に向かって左側にターゲットである広告配信対象の項目が複数提示される。ユーザＵが、ユーザ端末２の入力装置２０３を操作して、ターゲットとしたい項目のチェックボックス１０７１をクリックすると、チェックボックスにチェックが入り、画面に向かって右側にチェックした項目が提示される。ユーザＵは、ユーザ端末２の入力装置２０３を操作して、図１３に示す画面で設定を行うことにより、プラットフォーマー（例えば、グーグル（登録商標）やヤフー（登録商標）などプラットフォーム）が用意している項目と同じように設定が可能である。
【００６３】
図１４〜図１５は、図１１のターゲティングの選択画面において、「リターゲティング配信」１０５２を選択した場合に表示される設定画面である。図１４に示すターゲット設定画面では、ユーザＵは、ユーザ端末２の入力装置２０３を操作して、キーワード１０６４を選択することで第１の設定情報を設定する。具体的には、ユーザＵは、ユーザ端末２の入力装置２０３を操作して、複数の項目（図１４に示す例では２つの項目）からなるキーワード群からキーワード１０６４を選択する。
【００６４】
しかしながら、図１２を参照して説明した「ブロードターゲティング配信」１０５１を選択した場合と異なり、図１４に示す「リターゲティング配信」１０５２を選択した場合、キーワード１０６４が表示（提示）されるのはコンテンツ１０６２及びデモグラフィックス１０６３の項目だけであり、オーディエンス１０６１の項目は、図１５に示す画面にて特定のＷＥＢページのＵＲＬを入力することにより設定される。これにより、図１５に示す画面にてＵＲＬを入力したＷＥＢページを訪問したターゲットに対して広告が配信される設定となる。なお、図１５に示す画面にてＵＲＬを入力したＷＥＢページを訪問したターゲットの追跡は、フィンガープリント（特定のＷＥＢページを閲覧したコンピュータに関してサイト側が把握できる情報を組み合わせ、その違いに基づいて、ユーザを特定する技術）等を利用することができる。
【００６５】
なお、コンテンツ１０６２及びデモグラフィックス１０６３の各項目内のキーワード１０６４は、図１２と同様に、キーワードの属性に応じてさらに分類（グルーピング）されている。ユーザＵは、ユーザ端末２の入力装置２０３を操作して、項目ごとに１以上のキーワード１０６４を選択する。ＵＲＬ又はキーワード１０６４の入力は、どれか１つ以上の項目（オーディエンス１０６１、コンテンツ１０６２、デモグラフィックス１０６３のいずれか１以上）が設定されていればよい。これらキーワード１０６４は、リコメンド提示部３０５により最適と思われるものが提示される。なお、図１４でも、コンテンツの項目にキーワード１０６４が提示されていない状態となっているが、「設定する」１０６５を選択することでコンテンツの項目にもキーワード１０６４が提示されて選択できる状態となる。
【００６６】
図１５に示すターゲットの詳細設定画面では、ユーザＵは、広告のターゲットのより詳細な設定を行う。具体的には、ユーザＵは、ユーザ端末２の入力装置２０３を操作して、リターゲティングのターゲットとなるＵＲＬ（Uniform Resource Locator）１０８２と設定名１０８１を入力する。これにより、入力されたＵＲＬ（特定のＷＥＢページ）を過去に閲覧したターゲットに対して広告を配信する設定が可能となる。
【００６７】
図１６〜図１９は、実施形態に係る広告運用支援装置の動作の一例を示すフローチャートである。以下、図１６〜図１９を参照して、実施形態に係るサーバ３の動作（ユーザ登録）について説明するが、図１〜図１５を参照して説明した構成と同一の構成には同一の符号を付して重複する説明を省略する。
【００６８】
図１６は、実施形態に係る広告運用支援装置のユーザ登録の動作を示すフローチャートである。
初めにユーザＵは、ユーザ端末２の入力装置２０３を操作してサーバ３へとアクセスする（Ｓ１０１）。ユーザ端末２からのアクセスを受け付けると、サーバ３の画面情報生成部３０４は、ユーザＵの属性情報を入力するための画面情報を生成する。画面情報生成部３０４で生成された画面情報は、通信部３０１からネットワーク４を介してユーザ端末２へ送信される。
【００６９】
ユーザ端末２の通信部２０１で受信された画面情報は、表示装置２０４にユーザＵの属性情報の入力画面として表示される（Ｓ１０２）。ここで、属性情報は、例えば、ユーザ名、年齢、性別、連絡先（住所、電話番号、メールアドレス等）、課金のための情報（クレジットカード番号や銀行口座番号等）、ログインＩＤ（ＬＩＤ）、パスワード（ＰＷ）等の情報のことである。なお、ログインＩＤは、サーバ３が重複しないものを自動で発行するようにしてもよい。
【００７０】
ユーザＵが、ユーザ端末２の入力装置２０３を操作して属性を入力して、画面の所定のアイコン（例えば、「登録」アイコン）を選択すると、入力した属性情報がユーザ端末２の通信部２０１からネットワーク４を介して送信され、サーバ３の通信部３０１で受信される（受け付けられる）（Ｓ１０３）。制御部３０７は、通信部３０１で受け付けられた属性情報を記憶装置３０２へ格納する（Ｓ１０４）。
【００７１】
なお、上記ユーザ登録においては、入力された属性情報でいったん仮登録を行い、登録されたメールアドレスへ招待用のＵＲＬを送り、該ＵＲＬからアスセスすることで正式に登録する構成としてもよい。
【００７２】
図１７は、実施形態に係る広告運用支援装置のプロモーション設定の動作を示すフローチャートである。
初めに、ユーザＵは、ユーザ端末２の入力装置２０３を操作してサーバへアクセスする。ユーザ端末２からアクセスがあると、サーバ３の画面情報生成部３０４は、ログインＩＤおよびパスワードを入力するための画面情報を生成する。画面情報生成部３０４で生成された画面情報は、通信部３０１からネットワーク４を介してユーザ端末２へ送信される。
【００７３】
ユーザ端末２の通信部２０１で受信された画面情報は、表示装置２０４にユーザＵのログイン情報の入力画面として表示される。ユーザＵは、ユーザ端末２の入力装置２０３を操作して、ログインＩＤおよびパスワードを入力して、画面の所定のアイコン（例えば、「送信」アイコン）を選択すると、入力した属性情報がユーザ端末２の通信部２０１からネットワーク４を介して送信される（Ｓ２０１）。
【００７４】
サーバ３の制御部３０７は、ユーザ端末２から送信されるログインＩＤとパスワードの組み合わせが、記憶装置３０２に格納されているログインＩＤとパスワードの組み合わせと一致するかどうかを判定する（Ｓ２０２）。ログインＩＤとパスワードの組み合わせが一致しない場合（Ｓ２０２のＮＯ）、制御部３０７はＳ２０１の動作へと戻る。なお、Ｓ２０１の動作へと戻る際に、ログインエラーをユーザ端末２の表示装置２０４に表示するようにしてもよい。また、ログインＩＤとパスワードの組み合わせが一致した場合（Ｓ２０２のＹＥＳ）、制御部３０７は、ログインを許可する。
【００７５】
ユーザＵがユーザ端末２の入力装置２０３を操作して、プロモーションの新規作成を実行すると（Ｓ２０３）、サーバ３の画面情報生成部３０４は、基本情報を入力するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図６に示す基本情報の入力画面として表示される。ユーザＵは、ユーザ端末２の入力装置２０３を操作して、プロモーション名および月額予算を入力するとともに、成果指標を選択する（Ｓ２０４）。ユーザＵが、ユーザ端末２の入力装置２０３を操作して、画面の所定のアイコン（例えば、「次へ」アイコン１００４）を選択すると、入力した情報がユーザ端末２の通信部２０１からネットワーク４を介して送信され、サーバ３の記憶装置３０２へ格納される。
【００７６】
次に、サーバ３の画面情報生成部３０４は、連携設定を入力するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図７に示す連携設定の入力画面として表示される。ユーザＵは、ユーザ端末２の入力装置２０３を操作して、プラットフォームの種別を選択するとともに、アカウントＩＤ、アカウントの識別名を入力する（Ｓ２０５）。ユーザＵが、ユーザ端末２の入力装置２０３を操作して、画面の所定のアイコン（例えば、「次へ」アイコン１０１４）を選択すると、入力した情報がユーザ端末２の通信部２０１からネットワーク４を介して送信され、サーバ３の記憶装置３０２へ格納される。
【００７７】
次に、サーバ３の画面情報生成部３０４は、利用機能の設定を入力するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図８に示す利用機能の設定の入力画面として表示される。ユーザＵは、ユーザ端末２の入力装置２０３を操作して、利用機能についての設定を選択するとともに、広告を使ってユーザＵを誘導したい注力商材のＷＥＢページのＵＲＬを入力して、広告をクリックした際に表示される、いわゆるランディングページを設定する（Ｓ２０６）。ユーザＵが、ユーザ端末２の入力装置２０３を操作して、画面の所定のアイコン（例えば、「次へ」アイコン１０２４）を選択すると、入力した情報がユーザ端末２の通信部２０１からネットワーク４を介して送信され、サーバ３の記憶装置３０２へ格納される。
【００７８】
次に、サーバ３の画面情報生成部３０４は、商材の設定を入力するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図９に示す商材設定の入力画面として表示される。ユーザＵは、ユーザ端末２の入力装置２０３を操作して、ページＵＲＬ、商材の識別名、および商材に関する代表的なキーワードを入力する（Ｓ２０７）。ユーザＵが、ユーザ端末２の入力装置２０３を操作して、画面の所定のアイコン（例えば、「次へ」アイコン１０３５）を選択すると、入力した情報がユーザ端末２の通信部２０１からネットワーク４を介して送信され、サーバ３の記憶装置３０２へ格納される。
【００７９】
次に、サーバ３の画面情報生成部３０４は、設定を確認するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図１０に示す設定確認画面として表示される。ユーザＵが、ユーザ端末２の入力装置２０３を操作して、図１０に示す「登録する」のアイコン１０４５をクリックした操作が受け付けられると（Ｓ２０８のＹＥＳ）、サーバ３の制御部３０７は、図１０に示す登録確認画面に表示されている内容でプロモーション基本情報が設定される。また、ユーザ端末２の入力装置２０３を操作して、図１０に示す「編集」のアイコン１０４１Ａ〜１０４４Ａをクリックした操作が受け付けられると（Ｓ２０８のＮＯ）、サーバ３の画面情報生成部３０４は、Ｓ２０４〜Ｓ２０７のいずれか動作に戻り対応する画面情報を生成する。
【００８０】
なお、図１７を参照して説明した動作では、ログインから動作が始まっているが、すでにログインしている場合には、Ｓ２０３から動作が始まる構成としてもよい。
【００８１】
図１８は、実施形態に係る広告運用支援装置のターゲット設定の動作を示すフローチャートである。なお、以下では、すでにログインしているものとして説明する。
【００８２】
ユーザＵがユーザ端末２の入力装置２０３を操作して、広告のターゲット設定を実行すると、サーバ３の画面情報生成部３０４は、ターゲティングの選択を行うための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図１１に示すターゲティングの選択画面として表示される。ユーザＵは、ユーザ端末２の入力装置２０３を操作して、「ブロードターゲティング配信」又は「リターゲティング配信」のいずれかを選択する（Ｓ３０１）。ユーザＵが、ユーザ端末２の入力装置２０３を操作して、画面の所定のアイコン（例えば、「設定する」アイコン１０５３）を選択すると、入力した情報がユーザ端末２の通信部２０１からネットワーク４を介して送信され、サーバ３の記憶装置３０２へ格納される。
【００８３】
図１１のターゲティングの選択画面にて、「ブロードターゲティング配信」が選択されると（Ｓ３０１のＹＥＳ）、サーバ３の画面情報生成部３０４は、「ブロードターゲティング配信」でのターゲットを設定するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図１２，図１３に示すターゲット設定画面として表示される。ユーザＵは、ユーザ端末２の入力装置２０３を操作して、広告の配信対象者に関する第１の規定情報であるオーディエンスの設定をキーワードで入力する（Ｓ３０２）。
【００８４】
図１１のターゲティングの選択画面にて、「リターゲティング配信」が選択されると（Ｓ３０１のＮＯ）、サーバ３の画面情報生成部３０４は、「リターゲティング配信」でのターゲットを設定するための画面情報を生成する。画面情報生成部３０４で生成された画面情報は、通信部３０１からネットワーク４を介してユーザ端末２へ送信される。ユーザ端末２の通信部２０１で受信された画面情報は、表示装置２０４に図１４，図１５に示すターゲット設定画面として表示される。ユーザＵは、ユーザ端末２の入力装置２０３を操作して、広告の配信対象者に関する第１の規定情報であるオーディエンスの設定をＵＲＬで入力する（Ｓ３０３）。
【００８５】
図１２（Ｓ３０２）又は図１４，図１５（Ｓ３０３）のターゲット設定画面にて、オーディエンスの設定を行った後、ユーザＵは、ユーザ端末２の入力装置２０３を操作して、広告の内容に関する第２の規定情報であるコンテンツ及びターゲットとなるユーザＵの属性に関する第３の規定情報であるデモグラフィックスをキーワードで入力する（Ｓ３０４）。ユーザＵが、ユーザ端末２の入力装置２０３を操作して、画面の所定のアイコン（例えば、「設定する」アイコン）を選択すると、入力した情報がユーザ端末２の通信部２０１からネットワーク４を介して送信され、サーバ３の記憶装置３０２へ格納される。なお、図１３で詳細設定を行った場合、図１３の詳細設定で入力された設定情報は、そのまま第２の設定情報として取り扱われる。
【００８６】
次に、制御部３１０は、操作が終了したかどうかを判定する（Ｓ３０５）。操作が終了している場合（Ｓ３０５のＹＥＳ）、制御部３１０は動作を終了し、操作が終了していない場合（Ｓ３０５のＮＯ）、Ｓ３０１の動作に戻る。
【００８７】
図１９は、実施形態に係る広告運用支援装置のターゲット設定変換（第１の設定情報を第２の設定情報に変換）の動作を示すフローチャートである。
【００８８】
比較部３０６は、ユーザＵにより入力されたキーワードと、広告を配信するプラットフォームの項目との文字配列の類似度及び意味の関連度の少なくとも一方を算出し、この類似度及び関連度の少なくとも一方を所定の閾値と比較する（Ｓ４０１）。比較部３０６は、比較結果を変換部３０３へ通知する。
【００８９】
変換部３０３は、比較部３０６での比較結果が所定の閾値以上であるかどうかを判定する（Ｓ４０２）。閾値以上でない場合（Ｓ４０２のＮＯ）、変換部３０３は、図１８の動作に戻って、ターゲットの再設定を実行する。閾値以上である場合（Ｓ４０２のＹＥＳ）、変換部３０３は、ユーザＵに設定された第１の設定情報に基づいて、広告を配信するプラットフォームにおいて最も効果が高いと見込まれるターゲティングの種類を選択する（Ｓ４０３）。
【００９０】
変換部３０３は、ユーザＵに設定されたキーワード等を、広告を配信するプラットフォームの項目に付け合わせを行い、第１の設定情報を第２の設定情報に変換する（Ｓ４０４）。なお、変換部３０３は、第１の設定情報を第２の設定情報に変換する際に、第１の設定情報の設定項目と、各プラットフォームの設定項目とが関連付けて格納されたデータベース（ＰＦ１用ＤＢ２及びＰＦ２用ＤＢ３）を参照する。
【００９１】
以上のように、本実施形態のサーバ３（広告運用支援装置）は、受け付けた第１の設定情報を、広告を配信するプラットフォームの特性に基づいて第２の設定情報に変換する変換部３０３を備える。このため、例えば、ユーザＵ等が入力や選択して受け付けられるキーワード等の第１の設定情報を、広告を配信するプラットフォームごとに変換して第２の設定情報とすることができる。このため、ユーザＵは、プラットフォーム毎にキーワードやカテゴリ等の設定を変更する必要がなく利便性に優れる。また、設定作業オペレーションに関する観点でも専門知識及びそれを行う工数がプラットフォームの数だけ必要となることがなく、広告運用が非常に効果的なものとなる。このため、プラットフォーム毎の特性に習熟する必要がなく、広告を配信したいターゲットを考える、というクリエティブな業務に集中できる。また今後新しいプラットフォームが出現した場合も、上記仕様に沿って設定できる対象に関しては同様の対応が可能になる。また、受け付けた第１の設定情報を、広告を配信するプラットフォームの特性に基づいて第２の設定情報に変換するので、設定した情報をコピー感覚で他のプラットフォームに容易に移植することができる。
【００９２】
また、本実施形態では、第１の設定情報は、広告配信のターゲットを規定する情報を含み、変換部３０３は、ターゲットを規定する情報に基づいて、第１の設定情報を第２の設定情報に変換する。このため、変換部３０３は、広告配信のターゲットに合わせて効率よく設定情報を変換することができる。
【００９３】
また、本実施形態では、ターゲットを規定する情報には、過去に特定のＷＥＢページを閲覧したユーザＵに対して広告を配信するか、過去に特定のＷＥＢページを閲覧したことのないユーザＵを含むユーザＵに対して広告を配信するかの情報が含まれている。このため、過去に特定のＷＥＢページを閲覧したことのあるユーザＵをターゲットとして広告を配信するのか、過去に特定のＷＥＢページを閲覧したことのないユーザＵに対しても広告を配信するのか、を選択して広告を配信設定することができる。
【００９４】
また、本実施形態では、ターゲットを規定する情報には、広告の配信対象者に関する第１の規定情報、前記広告の内容に関する第２の規定情報、及び前記ターゲットとなるユーザＵの属性に関する第３の規定情報の少なくとも１以上を含んでいる。このため、どのようなユーザＵをターゲットとして広告を配信するか適切に設定することができる。
【００９５】
また、本実施形態では、変換部３０３は、第１の設定情報の設定項目と、プラットフォームの設定項目とが関連付けて格納されたデータベースを参照して、第１の設定情報を第２の設定情報に変換する。このため、データベースに格納された情報に基づいて、適切に第１の設定情報を第２の設定情報に変換することができる。
【００９６】
また、本実施形態では、変換部３０３は、第１の設定情報に含まれるキーワードの類似度及び意味の関連度の少なくとも一方に基づいて、第１の設定情報を第２の設定情報に変換する。このため、より効果的にターゲットとなるユーザＵへ広告が配信されるよう設定することができる。
【００９７】
また、本実施形態では、変換部３０３は、類似度及び関連度の少なくとも一方が所定の閾値未満である場合、類似度及び関連度の少なくとも一方が所定の閾値以上となるまで、異なるキーワードの受付を促す。このため、ターゲットとなるユーザＵへ適切に広告が配信されるよう第１の設定情報を設定することができる。
【００９８】
また、本実施形態の広告運用支援方法は、変換部３０３が、受け付けた第１の設定情報を、広告を配信するプラットフォームの特性に基づいて第２の設定情報に変換する。このため、ユーザＵは、プラットフォーム毎にキーワードやカテゴリ等の設定を変更する必要がなく利便性に優れる。また、設定作業オペレーションに関する観点でも専門知識及びそれを行う工数がプラットフォームの数だけ必要となることがなく、広告運用が非常に効果的なものとなる。
【００９９】
また、本実施形態の広告運用支援プログラムは、コンピュータを、受け付けた第１の設定情報を、広告を配信するプラットフォームの特性に基づいて第２の設定情報に変換する変換部３０３として機能させる。このため、ユーザＵは、プラットフォーム毎にキーワードやカテゴリ等の設定を変更する必要がなく利便性に優れる。また、設定作業オペレーションに関する観点でも専門知識及びそれを行う工数がプラットフォームの数だけ必要となることがなく、広告運用が非常に効果的なものとなる。
【０１００】
また、本実施形態では、図１３に示すターゲットの詳細設定画面を有し、ユーザＵは、広告のターゲットの詳細な設定を、広告を配信するプラットフォームの項目と同じように行うことができる。換言すると、ユーザは、図１３に示す画面を利用して、プラットフォーマー（例えば、グーグル（登録商標）やヤフー（登録商標）などプラットフォーム）が用意している項目と同じように設定が可能となっている。このため、ユーザＵは、広告の配信設定に慣れていない場合は図１２の画面で設定を行い、広告の配信設定に慣れている場合は図１３の画面で設定を行うことができ、利便性が向上する。
【０１０１】
（その他の実施形態）
本発明は、前記各形態の構造、形状のものに限定されるものではなく、その要旨を逸脱しない限りにおいて適宜に設計変更して具体化できる。例えば、上記実施形態では、ディスプレイ広告を例に、本発明の広告運用支援装置、広告運用支援方法および広告運用支援プログラムについて説明した。しかしながら、本発明は、ディスプレイ広告に限られず、他の手法による広告、例えば、リスティング広告や、ＳＮＳ内に表示される広告などにも適用可能な発明である。
【産業上の利用可能性】
【０１０２】
以上説明したように、本発明は、広告の運用を支援できる広告運用支援装置、広告運用支援方法および広告運用支援プログラムを提供することができる。
【符号の説明】
【０１０３】
１  広告運用支援システム
２  ユーザ端末
３  サーバ（広告運用支援装置）
４  ネットワーク
２０１  通信部
２０２  記憶装置
２０３  入力装置
２０４  表示装置
２０５  制御部
３０１  通信部
３０２  記憶装置
３０３  変換部
３０４  画面情報生成部
３０５  リコメンド提示部
３０６  比較部
３０７  制御部
【図１】
2020009188.tif 000003
【図２】
2020009188.tif 000004
【図３】
2020009188.tif 000005
【図４】
2020009188.tif 000006
【図５】
2020009188.tif 000007
【図６】
2020009188.tif 000008
【図７】
2020009188.tif 000009
【図８】
2020009188.tif 000010
【図９】
2020009188.tif 000011
【図１０】
2020009188.tif 000012
【図１１】
2020009188.tif 000013
【図１２】
2020009188.tif 000014
【図１３】
2020009188.tif 000015
【図１４】
2020009188.tif 000016
【図１５】
2020009188.tif 000017
【図１６】
2020009188.tif 000018
【図１７】
2020009188.tif 000019
【図１８】
2020009188.tif 000020
【図１９】
2020009188.tif 000021